(57)【要約】【課題】同一種類の物品載置具で物品を汚すことなく床面設置用にも物品間介在用にも利用でき、かつそれ自体の管理を簡易にできる、簡易な構成の物品載置具を提供する。【解決手段】物品載置具１０は、上下面が相互に略平行な面とされ、かつ、両方の側面に係合部３３が形成された下部材３０と、物品１が直接載置される載置部２１を有し、かつ、載置部２１の下側に、上下面の一方を上方に向けた状態の下部材３０の係合部３３に係合する一対の係合足部２２を有した上部材２０とを備えている。【選択図】図１
2018118840.tif 000002
【特許請求の範囲】
【請求項１】
物品を積載する際に該物品が直接載置される物品載置具であって、
上下面が相互に略平行な面とされ、かつ、両方の側面に係合部が形成された下部材と、前記物品が直接載置される載置部を有し、かつ、該載置部の下側に、前記上下面の一方を上方に向けた状態の前記下部材の前記係合部に係合する一対の係合足部を有した上部材とを備えたことを特徴とする物品載置具。
【請求項２】
請求項１において、
前記係合部が前記側面の高さ方向の略中央に形成されている、物品載置具。
【請求項３】
請求項１または２において、
前記係合足部が前記係合部に係合して前記上部材と前記下部材とが合体したときに、前記上部材と、前記下部材との間に隙間空間が形成されるようになっている、物品載置具。
【発明の詳細な説明】
【技術分野】
【０００１】
本発明は、さまざまな製品・材料や、それらを梱包した箱などの物品を積載するために、それらの物品が直接載置される物品載置具に関する。
【背景技術】
【０００２】
従来、この種の物品載置具として種々のものが提案されている（たとえば、特許文献１参照）。
【０００３】
通例では、複数の物品を積載した状態で、個々の物品の下側にフォークリフトのフォークの差し込みができるように、物品の下側に差し込み空間を空けるように両端の下側に物品載置具を配置し、その上に物品を載置するようになっている。つまり、物品を複数段に積載する場合には、１段目の物品用の物品載置具は床面等に直接設置され、２段目以降の物品用の物品載置具については、その直下の物品の上面に物品載置具が設置され、順次重ねるように物品が積載されるようになっている。
【０００４】
このように１段目用の物品載置具は床面等に直接設置されるため、その物品載置具の下面には床面の汚れが付着するおそれがある。そして、そのように利用した物品載置具を他の物品積載において２段目以降の物品用に用いれば、その物品に汚れが付着する可能性が発生する。
【０００５】
したがって、汚れが物品に付着することを防止するために、１段目用に用いた物品載置具を上段用の物品載置具として用いないように床面専用の物品載置具とすることが、この種の物品載置具の一般的な用い方であった。
【先行技術文献】
【特許文献】
【０００６】
【特許文献１】特開平８−１１３３６１号公報
【発明の概要】
【発明が解決しようとする課題】
【０００７】
しかしながら、同一種類の物品載置具を１段目用と上段用とに分けて利用する場合、それらの保管に際しては、いずれに使用するものであるかを判別するために、判別できる目印を付けて保管しておくか、あるいは置き場スペースを分けておく必要があった。このように、物品載置具の使い分けの管理が面倒であった。
【０００８】
また、１段目用と上段用とで形状、寸法などが異なる物品載置具を用いれば使用の際の判別は迅速にできるが、複数種類の物品載置具を個別に管理しなければならず、在庫管理等が面倒となるおそれがある。
【０００９】
このように、従来の物品載置具は、それ自体の管理面においては効率的とはなっておらず、より簡易に管理できるようにすることが望まれていた。
【００１０】
なお、特許文献１に記載の物品載置具は、物品載置具（介在部材）と物品の間にスペーサをさらに介在させて、物品に介在部材の汚れが付着しないようにしてあるが、スペーサは積載の都度、介在部材の上に設置しなければならず、作業が面倒となるおそれがある。また、スペーサ自体には汚れが付着する可能性があるので、汚れが付着したスペーサを再利用すれば汚れが物品に付着するおそれがある。よってこの物品載置具では、物品への汚れ付着防止のための根本的解決策とはなっていない。
【００１１】
本発明は、このような事情を考慮して提案されたもので、その目的は、同一種類の物品載置具で物品を汚すことなく床面設置用にも物品間介在用にも利用でき、かつそれ自体の管理を簡易にできる、簡易な構成の物品載置具を提供することにある。
【課題を解決するための手段】
【００１２】
上記目的を達成するために、本発明に係る物品載置具は、物品を積載する際に該物品が直接載置される物品載置具であって、上下面が相互に略平行な面とされ、かつ、両方の側面に係合部が形成された下部材と、物品が直接載置される載置部を有し、かつ、載置部の下側に、上下面の一方を上方に向けた状態の下部材の係合部に係合する一対の係合足部を有した上部材とを備えたことを特徴とする。
【発明の効果】
【００１３】
本発明の物品載置具によれば、上述した構成となっているため、簡易な構成の同一種類の物品載置具で、床面設置用にも、物品間介在用にも利用することができる。しかも、いずれの使い方でも物品を汚すおそれはない。さらに、物品載置具自体の管理も面倒にはならない。
【図面の簡単な説明】
【００１４】
【図１】本発明の一実施形態に係る物品載置具の説明図である。（ａ）は一部を省略した分解斜視図、（ｂ）は一部を省略した斜視図である。
【図２】同物品載置具の使用態様例を示した正面図および部分拡大正面図である。
【図３】（ａ）（ｂ）は、本発明の他の実施形態に係る物品載置具の分解正面図である。
【発明を実施するための形態】
【００１５】
以下に、本発明の実施の形態について、添付図面をもとに説明する。まず、本実施形態に係る物品載置具の基本構成について説明する。
【００１６】
本物品載置具１０は、物品１を積載する際に物品１が直接載置される物品載置用の部材である。この物品載置具１０は、上下面が相互に略平行な面とされ、かつ、両方の側面に係合部３３が形成された下部材３０を備えている。物品載置具１０はさらに、物品１が直接載置される載置部２１を有し、かつ、載置部２１の下側に、上下面の一方を上方に向けた状態の下部材３０の係合部３３に係合する一対の係合足部２２を有した上部材２０を備えている。
【００１７】
ここで、物品載置具１０の載置される物品１としては、製品や部品、さらにそれらを梱包した梱包箱など、種々のものが含まれる。
【００１８】
物品載置具１０は、そのような物品１を複数、積み重ねて保管、運搬する場合に、物品１の直下に配する、物品を載せ置くための載置具である。物品載置具１０は、そのように使用されるものであるから、略直方体の形状であることが望ましいが、それには限られず、上下の面が相互に略平行であれば、その他の形状であってもよい。
【００１９】
ついで、本物品載置具１０の詳細な構成および効果について、図１および図２を参照しながら説明する。
【００２０】
本物品載置具１０は、上述したように、また図１（ａ）（ｂ）に示すように、上部材２０と下部材３０とを組み合わせて構成されている。本実施形態のものは、２部材を組み合わせた状態で角材（敷き角）形状となっており、図２に示すように、１対の物品載置具１０、１０が物品１の下側中央に空間を空けた状態で、両端に配される。この物品下方空間５は、物品１の下側にフォークリフト（不図示）のフォーク（不図示）の差し込みができる程度の大きさの空間とされる。
【００２１】
この物品載置具１０の全体形状は図１に示すようにおおむね角材形状とされ、その奥行（長手）寸法は物品１の奥行寸法におおむね合致している。つまり、物品１（の奥行寸法）ごとに対応した物品載置具１０が用いられればよい。また、物品１の奥行寸法よりも小さい寸法の複数の物品載置具１０を物品１の奥行方向に一列に並べるようにしてもよい。さらに、たとえば物品１の平面視における４隅に対応した位置に配せられるようなブロック状のものでもよい。
【００２２】
本物品載置具１０は上部材２０、下部材３０のいずれもが棒状とされ、長手方向のいずれの位置における断面形状も略同一とされている。これらの部材は木質材や合成樹脂材、金属材などの硬質材料で成形されていればよい。
【００２３】
本物品載置具１０の上部材２０は、正面形状を方形とした載置部２１の両下端より脚が突出した形状となっている。この脚は上述した係合足部２２を構成しており、脚本体２２ａの下端には相互に向き合うように突出した凸部２２ｂが形成されている。載置部２１の下方で、脚本体２２ａ間に位置する空間は抱え込み空間２３とされる。
【００２４】
下部材３０は、上述したように、両側面のそれぞれに凹溝３３ａよりなる係合部３３が形成されている。係合部３３は本実施形態のもののように、下部材３０の高さ（厚さ）方向の略中央に形成されていることが望ましく、下部材３０は上下で略対称の形状となっている。
【００２５】
なお、下部材３０の相互対称形状の上部３１と下部３２は、図面において区別できるように、図１および図２において、下部３１にクロスハッチングを付した。また、後述するように上部３１、下部３２を上下に配するように下部材３０を使用するとは限らないため、後述する使用態様に対応させて、以下では便宜上、下部材３０の上部３１を清浄部３１、下部３２を非清浄部３２と呼ぶこととする。
【００２６】
本物品載置具１０は、上部材２０および下部材３０がいずれも棒状であるため、係合足部２２の凸部２２ｂおよび係合部３３の凹溝３３ａはいずれも下部材３０の下面に略平行に、奥行方向の全長に沿って延びるように形成されていることが望ましい。
【００２７】
上部材２０と下部材３０とは、図１（ｂ）に示すように、係合足部２２の凸部２２ｂが係合部３３（凹溝３３ａ）に係合し、下部材３０が抱え込み空間２３に入り込むようになって一体化される。これらの一体化はスライド装着により可能であるが、上部材２０を下部材３０の上方より下部材３０に押し当てて弾性嵌合することでも可能とされるようにしてもよい。
【００２８】
また、係合足部２２と係合部３３とが係合して上部材２０と下部材３０とが合体したときに、抱え込み空間２３の上部に、図１（ｂ）に示すような隙間空間２５が形成されるような寸法関係とすることが望ましい。
【００２９】
また、下部材３０の清浄部３１と非清浄部３２とが上下に線対称形状となっているため、下部材３０の天地を逆にして上部材２０と合体することも可能である。清浄部３１と非清浄部３２の厚さが略同一であるため、非清浄部３２を上に配した場合でも、図１（ｂ）の隙間空間２５と略同厚さの隙間空間２５が形成される。
【００３０】
以上に説明した物品載置具１０を用いれば、図２に示すように、床面３と物品１との間、物品１と物品１との間にフォークリフト（不図示）の差し込み用の物品下方空間５が形成された状態に物品１を積み上げることができる。
【００３１】
図２の例では、下側の拡大図に示すように、下部材３０の非清浄部３２を下側に配した物品載置具１０が、１段目の物品１の床面３への載置用に設置されている。また、上側の拡大図に示すように、下部材３０の非清浄部３２を上側に配した物品配置具１０が、１段目の物品１の上面に、２段目の物品１の載置用に設置されている。なお、図２の例は２段積載であるが、３段以上に物品１を積載する場合、３段目以降の物品１に用いるものは２段目用のものと同様に、非清浄部３２を上に配した物品載置具１０が用いられる。
【００３２】
ようするに、下部材３０の非清浄部３２は、１段目用としては下側に配せられ、上段用としては上側に配せられる。つまり、下部材３０の非清浄部３２が下側に配せられた物品載置具１０は非清浄部３２の表面（下面）が床面３に接触する。また、清浄部３１が下側に配せられた物品載置具１０は清浄部３１の表面（下面）が下側の物品１に接触し、非清浄部３２の表面は上部材２０に覆われて隠される。
【００３３】
このように物品載置具１０の用い方を定めておけば、どのような物品１の積載においても、下部材３０の非清浄部３２が物品１の上面に接触するおそれはなく、物品１に汚れが付着することが減らすことができる。また、上部材２０と下部材３０との間に隙間空間２５があるため、非清浄部３２が上部材２０の載置部２１の下面に接触するおそれはなく、下部材３０の上下を入れ替えて使用する場合でも、上部材２０を介して非清浄部３２の汚れが清浄部３１に移るおそれはない。
【００３４】
このような構成の物品載置具１０であれば、１段目用の物品載置具１０と上段用の物品載置具１０との間で、一方の物品載置具１０が足りない場合などに、下部材３０を天地を変えて装着しなおすだけで、他方の物品載置具１０として用いることができる。
【００３５】
以上のように、本物品載置具１０によれば、物品１に汚れが付着することを案ずることなく、同一種類の物品載置具１０を床面設置用にも、物品間介在用にも利用することができる。
【００３６】
本実施形態では下部材３０が上下対称形状であるため、効率的な取り扱いができるように、清浄部３１と非清浄部３２を、表面に色や模様などを付して識別できるようにしてもよい。
【００３７】
また、下部材３０は上下対称形状でなく、上下相互の厚みを異ならせてもよい。このようにすれば、物品載置具１０の隙間空間２５の厚さ寸法または物品載置具１０全体の高さ寸法が１段目用の物品載置具１０と、上段用の物品載置具１０との間で互いに異なるため、どちらであるかを容易に判別することができる。
【００３８】
さらに、物品載置具１０の構成、形状としては、図１に示したものに限られず、図３（ａ）（ｂ）に示したものであってもよい。
【００３９】
図３（ａ）の物品載置具１０は、上部材２０を下部材３０に上方からの取りつけをしやすくしたものであり、下部材３０の清浄部３１、非清浄部３２のそれぞれの両側面に、係合足部２２が弾性嵌合しやすいように湾曲したガイド部３４が形成されている。
【００４０】
また、図３（ｂ）の物品載置具１０は、上部材２０の係合足部２２が凸部２２ｂ（図１参照）を備えず、その代わりに脚本体２２ａの内面に凹溝２２ｃが形成されている。一方、下部材３０の両側面のそれぞれに凸部３３ｂよりなる係合部３３が形成されている。なお本図例では、上部材２０の係合足部２２の下端にガイド部２２ｄが形成されている。
【００４１】
以上には、物品載置具１０として、上部材２０と下部材３０とが１対１に対応したものを示したが、いずれか一方を分割構成としてもよい。また、棒状の上部材２０に対して、その長手方向の両端に２つの下部材３０を取りつけできる構成としてもよい。このように、上部材２０と下部材３０との対応については種々の態様が許容される。
【００４２】
また、上部材２０の係合足部２２と下部材３０の係合部３３も１対１に対応したものでなくてもよい。たとえば、凸部を凸条ではなく複数の突起で構成し、それらが凹溝に係合する構成のものとしてもよい。
【符号の説明】
【００４３】
１          物品
１０        物品載置具
２０        上部材
２１        載置部
２２        係合足部
２５        隙間空間
３０        下部材
３３        係合部
【図１】
2018118840.tif 000003
【図２】
2018118840.tif 000004
【図３】
2018118840.tif 000005